(57)【要約】      （修正有）【課題】作業性が良好であると共にバスバーと他の部品との間の高い絶縁性を維持した状態でこれらを配置することを可能とする。【解決手段】電子部品（導電部品２００）を構成するボビン５０（絶縁部品）によれば、第１磁性体コア収容部のコア脚部収容部５１１，５１２に対して、磁性体コアの２つの脚部が挿入されると共に、第２コア収容部に磁性体コアが収容される。さらに、２つのコア脚部収容部５１１，５１２の間に形成された空隙部に対してバスバー２０が挿入されるため、ボビン５０によってバスバー２０と一対の磁性体コアとの高い絶縁性が保たれる。さらに、このボビン５０は、係止部によってバスバー２０に対して係止可能であるため、バスバー２０に対してボビン５０を係止して一体化できるので、良好な作業性が得られる。【選択図】図１０
2015138799.tif 000002
【特許請求の範囲】
【請求項１】
絶縁性の部材によって構成され、
一対の磁性体コアのうちの一方側の磁性体コアである第１磁性体コアが備える少なくとも２つの脚部を個別に収容する２つのコア脚部収容部が離間して配置された第１コア収容部と、
前記一方の磁性体コアとは異なる他方側の磁性体コアである第２磁性体コアを収容する第２コア収容部と、
前記２つのコア脚部収容部の間に形成された空隙部に挿入されるバスバーに対して係止可能な係止部と、
を有する絶縁部品。
【請求項２】
請求項１記載の絶縁部品と、
前記空隙部に挿入される導電性のバスバーと、を備える導電部品であって、
前記バスバーには貫通孔が設けられ、
前記絶縁部品の前記係止部は前記貫通孔に対して係止する爪部を含んで構成される導電部品。
【請求項３】
前記２つのコア脚部収容部の端部は、
前記２つのコア脚部収容部の間に位置する前記バスバーの端部よりも突出している請求項２記載の導電部品。
【請求項４】
前記バスバーは、前記絶縁部品とは異なる部材をネジ止め固定するための貫通孔であるネジ孔を有し、
前記絶縁部品は、前記ネジ孔の一方側の端部を囲う凹部を有する請求項２又は３記載の導電部品。
【請求項５】
絶縁性の部材により構成される絶縁部品と、
前記絶縁部品とは異なる部材をネジ止め固定するための貫通孔であるネジ孔を有する導電性のバスバーと、を含んで構成される導電部品であって、
前記絶縁部品は、前記ネジ孔の一方側の端部を囲う凹部と、前記バスバーに対して係止可能な係止部と、を有する導電部品。
【発明の詳細な説明】
【技術分野】
【０００１】
本発明は、絶縁部品及びこの絶縁部品を含む導電部品に関する。
【背景技術】
【０００２】
従来の電源装置においては、電流が流れるバスバーの周囲に磁性体コアを配置した電子部品が電流検出装置やノイズフィルタとして用いられる。このような電子部品では、磁性体コアとバスバーとの間の絶縁性を保つ必要がある。そのため、磁性体コアとバスバーとの間の絶縁性を保った状態でこれらを配置する方法として、例えば特許文献１，２に示すように、磁性体コアとバスバーとの間に空隙部を設ける方法が知られている。
【先行技術文献】
【特許文献】
【０００３】
【特許文献１】特開２００７−２８７８５号公報
【特許文献２】特開２００２−２４３７６８号公報
【発明の概要】
【発明が解決しようとする課題】
【０００４】
しかしながら、特許文献１，２に記載の方法では、絶縁性が十分ではない可能性が考えられる。例えば、振動等によって磁性体コアとバスバーとが接触してしまう可能性がある。また、部品の組み立て時等に発生し得る金属粉等が付着することで、金属粉を介して磁性体コアとバスバーとが接触することも考えられる。これに対して、例えば絶縁性材料からなるボビンをバスバーと一体成型することで、絶縁性材料からなるボビンによってバスバーと磁性体コアとの絶縁性を保つという方法も考えられるが、一体成型に係る工程が必要であり、作業量が増大すると共に高コスト化することが懸念される。
【０００５】
本発明は、上記を鑑みてなされたものであり、作業性が良好であると共にバスバーと他の部品との間の高い絶縁性を維持した状態でこれらを配置することが可能な絶縁部品及びこの絶縁部品を含む導電部品の提供を目的とする。
【課題を解決するための手段】
【０００６】
上記目的を達成するため、本発明に係る絶縁部品は、絶縁性の部材によって構成され、一対の磁性体コアのうちの一方側の磁性体コアである第１磁性体コアが備える少なくとも２つの脚部を個別に収容する２つのコア脚部収容部が離間して配置された第１コア収容部と、前記一方の磁性体コアとは異なる他方側の磁性体コアである第２磁性体コアを収容する第２コア収容部と、前記２つのコア脚部収容部の間に形成された空隙部に挿入されるバスバーに対して係止可能な係止部と、を有することを特徴とする。
【０００７】
上記の絶縁部品によれば、第１磁性体コア収容部に対して第１磁性体コアが収容されると共に、第２磁性体コア収容部に対して第２磁性体コアが収容され、さらに、第１コア収容部の２つのコア脚部収容部の間に形成された空隙部に対してバスバーが挿入されるため、絶縁部品によってバスバーと一対の磁性体コアとの高い絶縁性が保たれる。さらに、この絶縁部品は係止部によってバスバーに対して係止可能であるため、バスバーに対して絶縁部品を係止して一体化できるので、良好な作業性が得られる。
【０００８】
また、本発明に係る導電部品は、上記の絶縁部品と、前記空隙部に挿入される導電性のバスバーと、を備える導電部品であって、前記バスバーには貫通孔が設けられ、前記絶縁部品の前記係止部は前記貫通孔に対して係止する爪部を含んで構成されることを特徴とする。
【０００９】
上記の導電部品では、バスバーの貫通孔に対して係止する爪部を絶縁部品が備えていることで、バスバーと絶縁部品とを容易に一体化することができ、作業性の向上をより簡単に実現することができる。
【００１０】
ここで、２つのコア脚部収容部の端部は、前記２つのコア脚部収容部の間に位置する前記バスバーの端部よりも突出している態様とすることができる。
【００１１】
このように、２つのコア脚部収容部の端部が、バスバーの端部よりも突出していることで、例えば一対の磁性体コア等の電子部品が２つのコア脚部収容部の端部側に載置されたとしてもバスバーとの接触を防ぐことができるため、高い絶縁性を得ることができる。
【００１２】
さらに、バスバーは、前記絶縁部品とは異なる部材をネジ止め固定するための貫通孔であるネジ孔を有し、前記絶縁部品は、前記ネジ孔の一方側の端部を囲う凹部を有する態様とすることができる。
【００１３】
このように、絶縁部品は、ネジ孔の一方側の端部を囲う凹部を有することにより、ネジ止めの際にネジがバスバー等を削ることで発生する金属粉が周囲に飛散することを抑制することができるため、周囲の電子部品に金属粉が付着することを防止できると共にこの金属粉によってバスバーと他の電子部品とが短絡することを防止できる。
【００１４】
なお、本発明に係る導電部品は、絶縁性の部材により構成される絶縁部品と、前記絶縁部品とは異なる部材をネジ止め固定するための貫通孔であるネジ孔を有する導電性のバスバーと、を含んで構成される導電部品であって、前記絶縁部品は、前記第ネジ孔の一方側の端部を囲う凹部と、前記バスバーに対して係止可能な係止部とを有することを特徴とする。
【００１５】
このように、導電部品が、バスバーに対してネジ止め固定するためのネジ孔の一方側の端部を囲う凹部を有する絶縁部品を有することで、ネジ止め固定する際にバスバー等から発生する金属粉が周囲に飛散することを抑制することができるため、バスバーと他の部品との間の高い絶縁性を維持した状態でこれらを組み立てすることができる。さらに、この絶縁部品は係止部によってバスバーに対して係止可能であるため、バスバーに対して絶縁部品を係止して一体化できるので、良好な作業性が得られる。
【発明の効果】
【００１６】
本発明によれば、作業性が良好であると共にバスバーと他の部品との間の高い絶縁性を維持した状態でこれらを配置することが可能な絶縁部品及びこの絶縁部品を含む導電部品が提供される。
【図面の簡単な説明】
【００１７】
【図１】本発明の実施形態に係る導電部品を含む電源装置の一部破断斜視図である。
【図２】本発明の実施形態に係る導電部品を含む電子部品の概略構成を示す斜視図である。
【図３】電子部品の上面図である。
【図４】バスバーの斜視図である。
【図５】バスバーの上面図である。
【図６】ボビンの斜視図である。
【図７】ボビンの上面図である。
【図８】＋Ｙ方向からのボビンの側面図である。
【図９】下面側からのボビンの斜視図である。
【図１０】導電部品の斜視図である。
【図１１】下面側からの導電部品の斜視図である。
【図１２】＋Ｙ方向からの導電部品の側面図である。
【図１３】磁性体コア及び導電部品の分解斜視図である。
【図１４】磁性体コアを取り付けた導電部品の断面を説明する矢視図であり、図１３のXIV−XIV線に対応する。
【図１５】出力コンデンサの取り付け方法について説明する図である。
【図１６】貫通型端子台の取り付け方法について説明する図である。
【図１７】チョークコイルの作成方法について説明する図である。
【発明を実施するための形態】
【００１８】
以下、添付図面を参照して、本発明を実施するための形態を詳細に説明する。なお、図面の説明においては同一要素には同一符号を付し、重複する説明を省略する。
【００１９】
まず、図１〜図３を参照して、本実施形態に係る導電部品を含む電源装置及び導電部品を含む電子部品について説明する。図１は、電源装置の一部破断斜視図である。また、図２は、電子部品の概略構成を示す斜視図であり、図３は、電子部品の上面図である。なお、以降の各図では、構成の説明のため、必要に応じてＸＹＺ軸を記載している。
【００２０】
（電源装置）
図１に示すように、電源装置１は、筺体１０と、電子部品１００を含んで構成される。
電源装置１は、筺体１０の内部に入力コンデンサ、スイッチング素子、メイントランス、チョークインダクタ、制御基板、及び、出力コンデンサ等が収容され、これらの部品がバスバー等の導電性を有する導電部材により接続されている。このうち、電子部品１００には、チョークコイル３０、ノイズフィルタ４０、出力コンデンサ７０及び貫通型端子台８０が含まれる。貫通型端子台８０は、ＹＺ平面に沿って延びる筺体１０の側壁１１に設けられた貫通孔１２を貫通するように取り付けられ、電源装置１においては筺体１０の内外を電気的に接続する出力側の端子として機能する。
【００２１】
筺体１０は、底面と側壁１１と含んで構成される本体部と本体部を覆う蓋部とを含んで構成されるが、図１では、本体部の一部のみを示している。また、図１では、電子部品１００が載置される領域以外は図示を省略している。
【００２２】
（電子部品）
次に、電子部品１００に含まれる構成について説明する。電子部品１００は、１枚の導電板から切り出して製造されたバスバー２０に対して各部品が取り付けられることで、各部がそれぞれの機能を有している。
【００２３】
具体的には、バスバー２０の一方側の端部には、貫通型端子台８０が取り付けられ、貫通型端子台８０によって外部と電気的に接続される。また、貫通型端子台８０側とは逆側の端部は、バスバー２０が巻線状に巻回されると共に、一対の磁性体コア３１，３２及びコイル用ボビン３５が取り付けられることでチョークコイル３０を構成している。また、チョークコイル３０に連続して、バスバー２０の周囲を囲うように一対の磁性体コア６１，６２（第１磁性体コア及び第２磁性体コア）がボビン５０（絶縁部品）を介して取り付けられることでノイズフィルタ４０を構成している。さらに、ノイズフィルタ４０と貫通型端子台８０との間に、バスバー２０に対して出力コンデンサ７０が取り付けられる。
【００２４】
このように、電子部品１００は、複数の機能部がバスバー２０によって接続された部品であり、電源装置１を構成する筺体１０内の電子部品のうち最も出力側に位置する所謂下流側の部品である。
【００２５】
以下の説明では、電子部品を構成するバスバー２０及びボビン５０について説明した後に、これらを組み立てた部品である接続部品を組み立てる方法を説明する。そして、その他の各部品を接続部品に取り付けて電子部品１００を組み立てる方法について説明する。
【００２６】
（バスバー）
図４及び図５を参照しながら、バスバー２０について説明する。図４はバスバー２０の斜視図であり、図５は、バスバー２０の上面図である。バスバー２０は、銅板等の導電材料からなる平板を打ち抜き加工した後に、各部を折り曲げ加工して製造される。
【００２７】
バスバー２０は、一方側（−Ｙ側）の端部から他方側（＋Ｙ側）の端部に向けて、コイル部２１、フィルタ部２３、及び連結部２５がこの順序で形成されている。
【００２８】
コイル部２１は、間を隔てて並設された有端リング状であり且つ板状の第１コイル部２１１及び第２コイル部２１２が、所定の巻き方向に連なるように連結されたものである。第１コイル部２１１及び第２コイル部２１２の間は、連絡部２１５によって連結されている。有端リング状の第１コイル部２１１及び第２コイル部２１２は、それぞれ所謂Ｃ字状を呈しており、中央に円形状の開口２２１、２２２を有していて、開口２２１，２２２が連通するようにＺ軸方向に延びる同軸上に重なり合っている。なお、第１コイル部２１１及び第２コイル部２１２の形状は上記のＣ字状の有端リング状に限られず、例えば楕円形状や、四角形状等の他の形状であってもよい。
【００２９】
第１コイル部２１１の一端部には、開口２２１の中心軸線に対し外方に向かって突出する第１端子部２０１が形成されている。第２コイル部２１２の他端部は、後述のフィルタ部２３に接続する。バスバー２０のコイル部２１においては、第１端子部２０１に入力された電力は、第１コイル部２１１、連絡部２１５、第２コイル部２１２の順で流れた後に後段のフィルタ部２３に流れる。
【００３０】
フィルタ部２３は、ＸＹ平面に沿ってＹ軸方向に沿って延びる第１導電部２３１と、第１導電部２３１に連結してＹＺ平面に沿ってＹ軸方向に沿って延びる第２導電部２３２と、を含んで構成される。第１導電部２３１と第２導電部２３２との間は、Ｙ軸に沿って延びる折り曲げ線２３５によって折り曲げられている。第２導電部２３２には、貫通孔２３６が形成されている。この貫通孔２３６は、ノイズフィルタ４０を構成するボビン５０を係止するために用いられる。この点は後述する。
【００３１】
フィルタ部２３の第２導電部２３２の後段には、電気素子等が連結される連結部２５が形成される。連結部２５は、第２導電部２３２の後段側の端部において、Ｙ軸に沿って延びる折り曲げ線２３８によって折り曲げられた後、ＸＹ平面に沿ってＸ軸方向（−Ｘ方向）に沿って延びる。連結部２５には、出力コンデンサ７０を取り付けるための貫通孔であるネジ孔２５１と、貫通型端子台８０と接続するための貫通孔であるネジ孔２５２が設けられる。このネジ孔２５２が設けられる位置は、バスバー２０において第１端子部２０１が設けられる端部とは逆側の端部となり、すなわち第２端子部２０２となる。
【００３２】
（ボビン）
次に、図６〜図９を参照しながらボビン５０について説明する。図６は、ボビン５０の斜視図であり、図７は、ボビン５０の上面図である。また、図８は、＋Ｙ方向からのボビン５０の側面図であり、図９は、下面側からのボビン５０の斜視図である。ボビン５０は、例えば樹脂等の絶縁性の材料により一体成型されていて、電子部品１００のうちノイズフィルタ４０が形成される領域と、出力コンデンサ７０が接続される領域と、に取り付けられる。
【００３３】
ボビン５０は、ノイズフィルタ４０を構成する磁性体コア６１，６２を収容するコア収容部５１と、バスバー２０の貫通孔に対応して形成される凹型状の窪みが形成されたポケット部５２と、を含んで構成される。コア収容部５１とポケット部５２との間は接続部５３によって接続される。
【００３４】
コア収容部５１は、平板状の仕切部５１０の一方側（＋Ｚ側）の主面上に断面の外形が長方形でＺ軸方向に沿って延び、磁性体コアの脚部をそれぞれ個別に収容するコア脚部収容部５１１，５１２（第１コア収容部）が２つ離間して設けられている。コア脚部収容部５１１，５１２の側壁の形状は挿入される磁性体コア６１（第１磁性体コア）の脚部の形状に対応している。また、コア脚部収容部５１１，５１２間の距離についても磁性体コア６１の２本の脚部の距離に対応している。また、コア脚部収容部５１１，５１２の−Ｚ側の端面は、仕切部５１０によって閉じられている。＋Ｚ方向からコア脚部収容部５１１，５１２に挿入された磁性体コアの脚部がコア脚部収容部５１１，５１２の底面に当接することで磁性体コアのＺ軸方向の移動が規制される構成となっている。
【００３５】
コア脚部収容部５１１，５１２の間はバスバー２０を配置するための空隙部５１３が形成されていて、コア脚部収容部５１１，５１２の底面よりも高い位置に底面５１４が形成されている。これは、ボビン５０に対してバスバー２０を組み込む際に、バスバー２０をＺ軸方向に１８０度反転して取り付けられることを防止するためである。なお、バスバー２０を配置した際に、その上面がコア脚部収容部５１１，５１２の上端部よりも高さ方向で下側となるようにコア脚部収容部５１１，５１２の高さは調整されている。また、コア脚部収容部５１２のうち空隙部５１３側の壁面５１２Ａの中央付近には、壁面５１２Ａに沿ってＺ軸方向に延びる弾性部５１５Ａと、弾性部５１５Ａに連続して形成されて壁面５１２Ａよりも外方（コア脚部収容部５１１側）に突出する爪部５１５Ｂとを有する係止部５１５を備える。係止部５１５の周囲は開口５１６が形成されている（図７参照）。係止部５１５の爪部５１５Ｂは、上面側は傾斜面が形成されていて、弾性部５１５Ａが撓むことでＸ軸方向に微動が可能であり、爪部５１５Ｂがバスバー２０に対して引っかかることでバスバー２０に対してボビン５０を係止可能となっている。この点については後述する。
【００３６】
コア脚部収容部５１１，５１２とは逆側の仕切部５１０の主面上（下面側）には、磁性体コア６２（第２磁性体コア）を収容する第２コア収容部５１７（第２磁性体コア収容部）が形成されている。第２コア収容部５１７の側壁の形状は挿入される磁性体コア６２の外形に対応している。すなわち、磁性体コア６１，６２は、コア収容部５１の仕切部５１０を挟んでボビン５０に対して取り付け可能とされている。
【００３７】
次に、ポケット部５２について説明する。ポケット部５２は、コア脚部収容部５１２側のコア収容部５１の側面に形成された接続部５３に連続して設けられ、ＸＹ平面に沿って延びる平板状の平板部５２０と、平板部５２０から下方に突出する凹部５２１、５２２とを含んで構成される。平板部５２０は、その表面がバスバー２０の連結部２５の下面側と対向するため、バスバー２０の下面側表面形状に対応して平坦とされている。
【００３８】
凹部５２１，５２２は、それぞれ、バスバー２０とボビン５０とを組み立てた際にバスバー２０のネジ孔２５１，２５２に対応する位置に設けられる。凹部５２１，５２２はそれぞれネジ孔２５１，２５２よりもその内径が大きくなっている。
【００３９】
上記のコア収容部５１とポケット部５２とを接続する接続部５３は、バスバー２０及び他の部品とボビン５０とを組み立てた際に、これらに対して干渉しない位置に設けられる。なお、接続部５３（両面）及び平板部５２０（下面側）は補強のためのリブが形成されているが、補強のための構造等は適宜変更できる。
【００４０】
（導電部品）
次に、バスバー２０とボビン５０とを組み立てて得られる導電部品２００について、図１０〜図１２を参照しながら説明する。図１０は導電部品２００の斜視図であり、図１１は、下面側からの導電部品２００の斜視図である。また、図１２は、＋Ｙ方向からの導電部品２００の側面図である。
【００４１】
なお、電子部品１００を組み立てる際には、出力コンデンサ７０及び貫通型端子台８０を取り付ける前にバスバー２０に対してボビン５０が取り付けられる。これにより、出力コンデンサ７０及び貫通型端子台８０を取り付ける際に発生する金属粉が周囲に散らばることを抑制する。この点は後述する。
【００４２】
図１０及び図１１に示すように、ボビン５０はバスバー２０のフィルタ部２３に対して取り付けられる。具体的には、ボビン５０をバスバー２０の下方（−Ｚ側）から、ボビン５０の空隙部５１３にバスバー２０の第２導電部２３２が入り込むように、コア脚部収容部５１１，５１２の間にバスバー２０を挿入する。このとき、ボビン５０の係止部５１５は、爪部５１５Ｂの上面側の傾斜部分にバスバー２０が当接した際に、傾斜に沿ったバスバー２０の移動によって弾性部５１５Ａが撓み、爪部５１５Ｂがバスバー２０の貫通孔２３６の下面よりも上方となった時点で、弾性部５１５Ａが元に戻り、爪部５１５Ｂの一部が貫通孔２３６内に引っかかり、バスバー２０とボビン５０とが互いに係止される（図１１及び図１４参照）。これにより、ボビン５０がバスバー２０に対して係止された導電部品２００が得られる。
【００４３】
ここで、導電部品２００では、バスバー２０の連結部２５の下面側とボビン５０のポケット部５２の上面側とが対向する（図１２参照）と共に、連結部２５に設けられたネジ孔２５１，２５２の下面側がそれぞれボビン５０の凹部５２１，５２２によって囲われる。「囲う」とは、ネジ孔２５１，２５２の端面から離間した位置に凹部５２１，５２２の底面が形成され、ネジ孔２５１，２５２の端面と凹部の底面との間に空隙が形成されることをいう。なお、凹部５２１，５２２は、ネジ孔２５１，２５２の一方側の端部を完全に塞いでもよいし、バスバー２０と凹部５２１，５２２との間に隙間が形成されていてもよい。ネジ孔２５１，２５２の一方側の端部がボビン５０の凹部５２１，５２２によって囲われる場合、ネジ止めに用いられるネジは、凹部５２１，５２２によって囲われた側とは逆側の端部から挿入されて固定される。したがって、ネジ孔２５１，２５２を利用して他の部品をネジ止め固定する際にバスバー２０から発生し得る金属粉等を凹部５２１，５２２内で受け止めることができる。
【００４４】
（磁性体コアの取付け）
次に、図１３及び図１４を参照しながら、導電部品２００に対して磁性体コア６１，６２を取り付ける工程について説明する。図１３は、磁性体コア６１，６２及び導電部品２００の分解斜視図であり、図１４は、磁性体コア６１，６２を取り付けた導電部品２００の断面を説明する矢視図であり、図１３のXIV−XIV線に対応する。
【００４５】
図１３，１４に示すように、バスバー２０の上方側に取り付けられる磁性体コア６１は所謂Ｕ型のコアであり、２本の脚部６１Ａ，６２Ｂを備える。このうちの一方の脚部６１Ａをコア脚部収容部５１１に挿入すると共に、他方の脚部６１Ｂをコア脚部収容部５１２に挿入することで、ボビン５０に対して磁性体コア６１が取り付けられる。一方、Ｉ型のコアである磁性体コア６２は、バスバー２０の下方側から、第２コア収容部５１７に対して挿入される。このとき、図１４に示すように、ボビン５０の仕切部５１０を介して磁性体コア６１と磁性体コア６２とが対向し、これらの磁性体コア６１，６２によってＸＺ平面で見たときに略口型の環状のコアが形成される。さらに、その中央部をバスバー２０がＹ軸方向に沿って延びるように配置される。
【００４６】
ここで、バスバー２０は、その周囲のうち左右側及び下側は、ボビン５０によって磁性体コア６１，６２と区切られているため、短絡が発生することは防止されている。さらに、バスバー２０の上側は、第２導電部２３２の上端よりもコア脚部収容部５１１，５１２の上端が高い位置となるように、ボビン５０がバスバー２０に対して係止されているため、バスバー２０が磁性体コア６１と当接することが防がれている。このように、ボビン５０は、磁性体コア６１，６２とバスバー２０との間の絶縁性を保つと共に、磁性体コア６１と磁性体コア６２とが当接することも防止している。以上により磁性体コア６１，６２が導電部品２００のボビン５０に対して取り付けられて、ノイズフィルタ４０が形成される。
【００４７】
（出力コンデンサ及び貫通型端子台の取付け）
次に、図１５を参照しながら、出力コンデンサの取り付け方法について説明する。出力コンデンサ７０は、コンデンサ本体７１と、コンデンサ本体７１に対して接続された端子部７２と、端子部７２をバスバー２０に対して固定するためのネジ７６とを含んで構成される。コンデンサ本体７１に接続される２つの端子部７２のうちの一方側の端子部に貫通孔７５とバスバー２０の連結部２５に設けられたネジ孔２５１とに対してネジ７６を挿通し両者を締結して固定することで、出力コンデンサ７０がバスバー２０に対して固定される。
【００４８】
ここで、ネジ７６が端子部７２の貫通孔７５及びバスバー２０のネジ孔２５１に挿通される際、ネジ７６によって貫通孔７５及びネジ孔２５１の内壁の一部が削られる可能性があり、これにより金属粉が発生する可能性が考えられる。この金属粉が下方に落下した場合には、他の電子部品等に付着することで短絡等が起きることも考えられる。これに対して、ボビン５０のポケット部５２に形成された凹部５２１がバスバー２０のネジ孔２５１を覆うようにネジ孔２５１の下方に設けられていることで、ネジ７６によって金属粉が発生したとしても、凹部５２１内に落下するため、他の電子部品等に金属粉が付着することを防止できる。
【００４９】
次に、図１６を参照しながら、貫通型端子台の取り付け方法について説明する。図１６では、貫通型端子台８０のうち、バスバー２０と電気的に接続される導電部材８１のみを示し、周囲の絶縁部材等については表示を省略している。導電部材８１は、バスバー２０と接続される端部に貫通孔８５が形成されて、貫通孔８５とバスバー２０の連結部２５に設けられたネジ孔２５２とに対してネジ８６を挿通し両者を締結して固定することで、貫通型端子台８０がバスバー２０に対して固定される。
【００５０】
ここで、ネジ８６が導電部材８１の貫通孔８５及びバスバー２０のネジ孔２５２に挿通される際、ネジ８６によって貫通孔８５及びネジ孔２５２の内壁の一部が削られる可能性があり、これにより金属粉が発生する可能性が考えられる。これに対して、ボビン５０のポケット部５２に形成された凹部５２２がバスバー２０のネジ孔２５２を覆うようにネジ孔２５２の下方に設けられていることで、ネジ８６によって金属粉が発生したとしても、凹部５２２内に落下するため、凹部５２１と同様に、他の電子部品等に金属粉が付着することを防止できる。
【００５１】
（チョークコイルの作成）
最後に、図１７を参照しながら、導電部品２００を構成するバスバー２０のコイル部２１を用いたチョークコイル３０の作成方法について説明する。まず、バスバー２０のコイル部２１に対して、樹脂成形されたコイル用ボビン３５を取り付ける。そして、コイル部２１を挟んでＥ型の磁性体コア３１，３２を対向させ、脚部同士が対向するようにしてコイル部２１に対して取り付ける。すなわち、磁性体コア３１の脚部３１Ａ，３１Ｂ，３１Ｃが、それぞれ磁性体コア３２の脚部３２Ａ，３２Ｂ，３２Ｃと対向するように取り付ける。このとき、脚部３１Ｂ，３２Ｂがコイル部２１の開口２２１，２２２に対して挿入される。このようにして、コイル用ボビン３５を介して磁性体コア３１，３２がコイル部２１に対して取り付けられて、チョークコイル３０が完成する。また、以上の工程によって、電子部品１００が構成される。
【００５２】
以上のように、本実施形態に係る電子部品１００（導電部品２００）を構成するボビン５０（絶縁部品）によれば、第１磁性体コア収容部のコア脚部収容部５１１，５１２に対して、磁性体コア６１の２つの脚部６１Ａ，６１Ｂが挿入されると共に、第２コア収容部５１７に磁性体コア６２が収容される。さらに、２つのコア脚部収容部５１１，５１２の間に形成された空隙部５１３に対してバスバー２０が挿入されるため、ボビン５０によってバスバー２０と一対の磁性体コア６１，６２との高い絶縁性が保たれる。さらに、このボビン５０は、係止部５１５によってバスバー２０に対して係止可能であるため、バスバー２０に対してボビン５０を係止して一体化できるので、良好な作業性が得られる。
【００５３】
また、バスバー２０とボビン５０とを備える上記実施形態の導電部品２００では、バスバー２０の第２導電部２３２に形成された貫通孔２３６に対して係止する爪部５１５Ｂをボビン５０が備えていて、バスバー２０が挿入される際に爪部５１５Ｂに連続する弾性部５１５Ａが撓むことで、爪部５１５Ｂが貫通孔２３６に対して係止する。これにより、バスバー２０とボビン５０とを容易に一体化することができると共に、爪部５１５Ｂは貫通孔２３６からは容易に外れず、作業性の向上をより簡単に実現することができる。
【００５４】
さらに、導電部品２００では、２つのコア脚部収容部５１１，５１２の上部側の端部が、バスバー２０の第２導電部２３２の端部よりも突出している（上側に出ている）ため、例えば一対の磁性体コア６１，６２等の電子部品が２つのコア脚部収容部５１１，５１２の端部側に載置されたとしてもバスバー２０との接触を防ぐことができるため、高い絶縁性を得ることができる。特に上記実施形態の導電部品２００では、２つのコア脚部収容部５１１，５１２の上部の磁性体コア６１とバスバー２０との接触を防止することができる。
【００５５】
さらに、バスバー２０は、ボビン５０とは異なる部材である出力コンデンサ７０及び貫通型端子台８０をネジ止め固定するための貫通孔であるネジ孔２５１，２５２を有し、ボビン５０は、ネジ孔２５１，２５２の一方側の端部をそれぞれ囲う凹部５２１，５２２を有することにより、ネジ止めの際にネジ７６，８６がバスバー２０及び他の部材を削ることで発生する金属粉が周囲に飛散することを抑制することができる。したがって、周囲の電子部品に金属粉が付着することを防止できると共にこの金属粉によってバスバー２０と他の電子部品とが短絡することを防止できる。
【００５６】
以上、本発明の実施形態について説明したが本発明に係る導電部品は上記に限定されず種々の変更を行うことができる。例えば、上記実施形態では、ボビン５０のポケット部５２は、コア収容部５１のうちのコア脚部収容部５１２側に取り付けられていている構成について説明したが、コア収容部５１とポケット部５２との位置関係はバスバー２０の形状に応じて適宜変更することができる。また、接続部５３の形状は、コア収容部５１及びポケット部５２の距離及び位置関係等に応じて、並びに、バスバー２０及び周囲の電子部品等の配置に応じて、適宜変更することができる。
【００５７】
また、上記の導電部品２００では、２つのコア脚部収容部５１１，５１２の間に挿入されるバスバー２０の第２導電部２３２の主面がＹＺ平面に沿って延びる状態、すなわち、垂直方向に延在する状態で空隙部５１３に挿入されているが、水平方向に延在する状態で空隙部５１３に挿入されていてもよい。その場合、磁性体コア６１，６２の形状、ボビン５０の形状（特に、コア脚部収容部５１１，５１２の形状及び係止部５１５の形状）等は、適宜変更可能である。
【００５８】
また、上記のボビン５０は、磁性体コア６１，６２を収容してバスバー２０との絶縁を保つためのコア収容部５１と、バスバー２０のネジ孔に対応して凹部が形成されたポケット部５２と、を含んで構成されているが、どちらか一方の機能のみを有していてもよい。すなわち、本発明に係る絶縁部品にはバスバー２０に係止するための係止部を有するコア収容部５１のみの構成も含まれる。また、本発明に係る導電部品には、バスバー２０に設けられるネジ孔の一方側の端部を囲う凹部を有すると共に、バスバー２０に対して係止可能な係止部を有する絶縁部品と、バスバー２０とを含む導電部品も含まれる。このように、導電部品が、バスバー２０に対してネジ止め固定するためのネジ孔の一方側の端部を囲う凹部を有する絶縁部品を有することで、ネジ止め固定する際にバスバー等から発生する金属粉が周囲に飛散することを抑制することができるため、バスバーと他の部品との間の高い絶縁性を維持した状態でこれらを組み立てすることができる。
【００５９】
上記実施形態における導電部品２００を構成するボビン５０では、コア収容部５１に係止部５１５が形成されているが、絶縁部品がコア収容部５１を含まない場合には、係止部の位置を変更することができる。
【００６０】
なお、ボビン５０の係止部５１５の形状は、バスバー２０に形成された貫通孔２３６に対して爪部５１５Ｂを引っ掛ける構成に限定されず、適宜変更することができる。また、爪部５１５Ｂは、上面側に傾斜面が形成されている場合を説明したが、例えばＲを備える突起状等、本発明を実施できる範囲で、適宜変更することができる。
【００６１】
また、本実施形態に係る磁性体コア６１は所謂Ｕ型のコアであり、２本の脚部６１Ａ，６２Ｂを備え、脚部６１Ａをコア脚部収容部５１１に挿入すると共に、他方の脚部６１Ｂをコア脚部収容部５１２に挿入する場合について説明したが、本発明は、例えば磁性体コアがＥ型等の３本の脚部を有するコアや、それ以上の脚部を有する磁性体コアの場合にも適用できる。このような３本以上の脚部を有する場合においても、少なくとも２本の脚部を収容するコア脚部収容部を有し、コア脚部収容部が離間して配置されていれば良い。
【符号の説明】
【００６２】
１…電源装置、１０…筺体、２０…バスバー、３０…チョークコイル、４０…ノイズフィルタ、５０…ボビン（絶縁部品）、５１…コア収容部、５１５…係止部、５２…ポケット部、６１，６２…磁性体コア、７０…出力コンデンサ、８０…貫通型端子台、１００…電子部品、２００…導電部品。
【図１】
2015138799.tif 000003
【図２】
2015138799.tif 000004
【図３】
2015138799.tif 000005
【図４】
2015138799.tif 000006
【図５】
2015138799.tif 000007
【図６】
2015138799.tif 000008
【図７】
2015138799.tif 000009
【図８】
2015138799.tif 000010
【図９】
2015138799.tif 000011
【図１０】
2015138799.tif 000012
【図１１】
2015138799.tif 000013
【図１２】
2015138799.tif 000014
【図１３】
2015138799.tif 000015
【図１４】
2015138799.tif 000016
【図１５】
2015138799.tif 000017
【図１６】
2015138799.tif 000018
【図１７】
2015138799.tif 000019